(57)【要約】【課題】情報処理装置で生成された印刷データに基づいて印刷機器により印刷を行う印刷システムにおいて、ドキュメントボックス印刷を行うとき、情報処理装置の印刷制御プログラムのカスタマイズにより制限された範囲外の印刷設定が印刷機器でできないようにする。【解決手段】ＰＣ１０は、ドキュメントボックス印刷の印刷データにプリンタドライバ１１のカスタマイズ情報１６を付加して印刷機器２０に送信する。印刷機器２０は、カスタマイズ情報１６が付加された印刷データを受信し、記憶部２３に保存する。ドキュメントボックス印刷の印刷設定画面を操作部２１に表示するとき、カスタマイズ情報１６による機能制限を反映させた印刷設定画面を表示する。【選択図】図１
2012141678.tif 000002
【特許請求の範囲】
【請求項１】
情報処理装置で生成された印刷データに基づいて印刷機器により印刷を行う印刷システムにおいて、
前記情報処理装置は、印刷データを生成する手段と、当該印刷データがドキュメントボックス印刷の印刷データであるとき、当該印刷データにカスタマイズ情報を付加する手段と、生成した印刷データを前記印刷機器に送信する手段とを備え、
前記印刷機器は、前記情報処理装置から送信された印刷データを受信する手段と、当該受信した印刷データにカスタマイズ情報が付加されているとき、当該カスタマイズ情報による機能制限を反映させた印刷設定画面を操作部に表示させる表示制御手段とを有する印刷システム。
【請求項２】
請求項１に記載された印刷システムにおいて、
前記表示制御手段は、前記カスタマイズ情報により機能制限された範囲外の印刷設定を表示させないことを特徴とする印刷システム。
【請求項３】
請求項１に記載された印刷システムにおいて、
前記表示制御手段は、前記カスタマイズ情報により機能制限された範囲外の印刷設定をグレーアウトで表示させることを特徴とする印刷システム。
【請求項４】
請求項１乃至３のいずれかに記載された印刷システムにおいて、
前記表示制御手段は、前記機能制限を解除する操作が行われたとき、前記操作部にエラー画面を表示させることを特徴とする印刷システム。
【請求項５】
情報処理装置で生成された印刷データに基づいて印刷を行う印刷機器であって、
前記情報処理装置から送信された印刷データを受信する手段と、当該受信した印刷データにカスタマイズ情報が付加されているとき、当該カスタマイズ情報による機能制限を反映させた印刷設定画面を操作部に表示させる表示制御手段とを有する印刷機器。
【請求項６】
請求項５に記載された印刷機器において、
前記表示制御手段は、前記カスタマイズ情報により機能制限された範囲外の印刷設定を表示させないことを特徴とする印刷機器。
【請求項７】
請求項５に記載された印刷機器において、
前記表示制御手段は、前記カスタマイズ情報により機能制限された範囲外の印刷設定をグレーアウトで表示させることを特徴とする印刷機器。
【請求項８】
請求項５乃至７のいずれかに記載された印刷機器において、
前記表示制御手段は、前記機能制限を解除する操作が行われたとき、前記操作部にエラー画面を表示させることを特徴とする印刷機器。
【請求項９】
印刷データを生成する手段と、当該印刷データがドキュメントボックス印刷の印刷データである場合、当該印刷データにカスタマイズ情報を付加する手段と、生成した印刷データを印刷機器に送信する手段とを有する印刷制御プログラム。
【請求項１０】
請求項５乃至８のいずれかに記載された印刷機器と、請求項９に記載された印刷制御プログラムとからなる印刷システム。
【発明の詳細な説明】
【技術分野】
【０００１】
本発明は、パーソナルコンピュータなどの情報処理装置で生成された印刷データに基づいて印刷機器により印刷を行う印刷システム、その印刷機器、及び印刷制御プログラムに関する。
【背景技術】
【０００２】
印刷システムの導入環境に応じてユーザが設定可能な印刷機能を制限するために、印刷制御プログラムであるプリンタドライバのカスタマイズを行いたいという要望がある。プリンタドライバのカスタマイズとは、例えば、インストール直後のプリンタドライバの各機能のデフォルトの値を変更する（デフォルト値の変更）、プリンタドライバの機能の値を変更できない設定にする（値のロック）、プリンタドライバの機能のうち、選択肢から値を選択するタイプの機能において、一部の選択肢を非表示にし、選択できない設定にする（選択肢のロック）等がある。
【０００３】
これらの要望に対して、プリンタドライバのプログラムの変更を行わず、テキストファイルで記述されたカスタマイズ情報をプリンタドライバに埋め込むことで実現する方法がある（特許文献１参照）。
【０００４】
図１６にこのようなプリンタドライバの構成を示す。図示のように、プリンタドライバ１１０は、設定管理部１１１、ＵＩ（User Interface）モジュール１１２、描画モジュール１１３を備えている。また、機種情報１１４及びカスタマイズ情報１１５を保持している。
【０００５】
設定管理部１１１は印刷設定を管理する。ＵＩモジュール１１２はＵＩのためのモジュールである。描画モジュール１１３は印刷データを作成するためのモジュールである。
【０００６】
機種情報１１４は、プリンタドライバ１１０に含まれる機能を示す機能情報１１６、ＵＩ上で排他となる動作を定義する情報などからなる。カスタマイズ情報１１５は、プリンタドライバ１１０の機能情報１１６の定義を変更する情報であるカスタマイズ機能情報１１７などからなる。
【０００７】
プリンタドライバ１１０をカスタマイズする際には、まず設定管理部１１１が機種情報１１４とカスタマイズ情報１１５を読み込む。次いで設定管理部１１１は、機種情報１１４とカスタマイズ情報１１５を基に、前述したデフォルト値の変更、値のロック、選択肢の非表示を行う設定に変更する。ＵＩモジュール１１２は設定管理部１１１を通して、各機能の現在の値やロック情報の有無、選択肢の非表示の動作変更を行なったＵＩをパーソナルコンピュータ（以下、ＰＣと言う）などの情報処理装置のディスプレイでユーザに提示する。ユーザは印刷時にＵＩを通して印刷設定を変更する。ユーザの指示に基づいて印刷がスタートすると、描画モジュール１１３が印刷設定に応じた印刷データを作成する。
【０００８】
特許文献に記載されたものではないが、図１７にドキュメントボックス機能を有する印刷システムを示す。この印刷システムでは、ＰＣ１００と印刷機器１２０とがＬＡＮ（Local Area Network）などのネットワーク１３０により接続されており、ＰＣ１００で生成された印刷データがネットワーク１３０を通して印刷機器１２０へ送られ、印刷される。
【０００９】
この印刷システムでは、通常印刷及びドキュメントボックス印刷が可能である。通常印刷では印刷データをＰＣ１００から印刷機器１２０に送ることで、ＰＣ１００内のプリンタドライバにより設定された印刷設定で直ちに印刷できる。それに対して、ドキュメントボックス印刷では、印刷データを印刷機器１２０内の記憶部１２２に一旦保存し、操作パネルなどの操作部１２１で印刷する印刷データ１２３を指定して印刷する機能を用いて印刷する。ドキュメントボックス印刷の場合、操作部１２１を通して印刷データの印刷設定を変更することができる。
【００１０】
この印刷システムにおいて、ＰＣ１００のプリンタドライバのカスタマイズにより機能を制限した印刷設定を有する印刷データをＰＣ１００から印刷機器１２０に送信した場合、通常印刷であれば、機能を制限した印刷設定のまま印刷される。しかし、ドキュメントボックス印刷の場合、操作部１２１を通して印刷設定を変えることで、機能が制限されていない印刷設定で印刷されてしまうという問題がある。
【発明の概要】
【発明が解決しようとする課題】
【００１１】
本発明は、このような問題を解決するためになされたものであり、その目的は、情報処理装置で生成された印刷データに基づいて印刷機器により印刷を行う印刷システムにおいて、ドキュメントボックス印刷を行うとき、情報処理装置の印刷制御プログラムのカスタマイズにより制限された範囲外の印刷設定を印刷機器で設定することができないようにすることである。
【課題を解決するための手段】
【００１２】
本発明の印刷システムは、情報処理装置で生成された印刷データに基づいて印刷機器により印刷を行う印刷システムにおいて、前記情報処理装置は、印刷データを生成する手段と、当該印刷データがドキュメントボックス印刷の印刷データであるとき、当該印刷データにカスタマイズ情報を付加する手段と、生成した印刷データを前記印刷機器に送信する手段とを備え、前記印刷機器は、前記情報処理装置から送信された印刷データを受信する手段と、当該受信した印刷データにカスタマイズ情報が付加されているとき、当該カスタマイズ情報による機能制限を反映させた印刷設定画面を操作部に表示させる表示制御手段とを有する印刷システムである。
また、本発明の印刷機器は、情報処理装置で生成された印刷データに基づいて印刷を行う印刷機器であって、前記情報処理装置から送信された印刷データを受信する手段と、当該受信した印刷データにカスタマイズ情報が付加されているとき、当該カスタマイズ情報による機能制限を反映させた印刷設定画面を操作部に表示させる表示制御手段とを有する印刷機器である。
また、本発明の印刷制御プログラムは、印刷データを生成する手段と、当該印刷データがドキュメントボックス印刷の印刷データである場合、当該印刷データにカスタマイズ情報を付加する手段と、生成した印刷データを印刷機器に送信する手段とを有する印刷制御プログラムである。
また、本発明の印刷システムは、本発明の印刷機器と、本発明の印刷制御プログラムとからなる印刷システムである。
【００１３】
［作用］
本発明によれば、ドキュメントボックス印刷を行う際には、情報処理装置は、印刷データにカスタマイズ情報を付加して印刷機器に送信し、印刷機器は、受信した印刷データにカスタマイズ情報が付加されているとき、当該カスタマイズ情報による機能制限を反映させた印刷設定画面を表示する。
【発明の効果】
【００１４】
本発明によれば、情報処理装置で生成された印刷データに基づいて印刷機器により印刷を行う印刷システムにおいて、ドキュメントボックス印刷を行うとき、情報処理装置の印刷制御プログラムのカスタマイズにより制限された範囲外の印刷設定を印刷機器で設定することができなくなる。
【図面の簡単な説明】
【００１５】
【図１】本発明の実施形態の印刷システムの概略構成を示すブロック図である。
【図２】本発明の実施形態の印刷システムにおいて、両面／製本機能を「左へひらく」にロックしたプリンタドライバの印刷設定画面を示す図である。
【図３】本発明の実施形態の印刷システムにおいて、両面／製本機能を「左へひらく」にロックするプリンタドライバのカスタマイズ情報を示す図である。
【図４】本発明の実施形態の印刷システムにおいて、両面／製本機能の選択肢を「右へひらく」と「左へひらく」にロックしたプリンタドライバの印刷設定画面を示す図である。
【図５】本発明の実施形態の印刷システムにおいて、両面／製本機能の選択肢を「右へひらく」と「左へひらく」にロックするプリンタドライバのカスタマイズ情報を示す図である。
【図６】本発明の実施形態の印刷システムにおけるプリンタドライバの動作を示すフローチャートである。
【図７】本発明の実施形態の印刷システムにおける印刷機器の動作を示すフローチャートである。
【図８】本発明の実施形態の印刷機器におけるドキュメントボックス印刷時の動作を示すフローチャートである。
【図９】本発明の実施形態の印刷システムにおいて、印刷機器の操作部でドキュメントボックス内の文書を選択するための画面を示す図である。
【図１０】図９に示す画面で「テスト１」の文書が選択された状態を示す図である。
【図１１】本発明の実施形態の印刷システムにおいて、ドキュメントボックス印刷時に印刷機器の操作部に表示される機能制限の無い印刷設定画面を示す図である。
【図１２】本発明の実施形態の印刷システムにおいて、ドキュメントボックス印刷時に印刷機器の操作部に表示される、両面／製本機能が「左へ開く」にロックされた印刷設定画面を示す図である。
【図１３】本発明の実施形態の印刷システムにおいて、ドキュメントボックス印刷時に印刷機器の操作部に表示される、両面／製本機能の選択肢が「両面−右へ開く」と「両面−左へ開く」にロックされた設定画面を示す図である。
【図１４】図１２に示す画面上でロックを解除する操作が行われたときの状態を示す図である。
【図１５】図１３に示す画面上でロックを解除する操作が行われたときの状態を示す図である。
【図１６】従来のプリンタドライバの構成を示す図である。
【図１７】従来の印刷システムの構成を示す図である。
【発明を実施するための形態】
【００１６】
以下、本発明の実施形態について図面を参照して説明する。
〈印刷システムの構成〉
図１は、本発明の実施形態の印刷システムの概略構成を示すブロック図である。
この印刷システムは、ＰＣ１０、複合機などの印刷機器２０、及びそれらを接続するＬＡＮなどネットワーク３０からなる。なお、ＰＣ、印刷機器をそれぞれ複数設けてもよい。
【００１７】
ＰＣ１０にはプリンタドライバ１１がインストールされている。プリンタドライバ１１は、図１６に示す従来のプリンタドライバ１１０と同様、設定管理部１２、ＵＩモジュール１３、描画モジュール１４を備えている。これらの機能は従来のプリンタドライバ１１０の設定管理部１１１、ＵＩモジュール１１２、描画モジュール１１３と基本的に同じであるが、後述するように、ＵＩモジュールによりＰＣ１０の操作部（図示せず）に表示される印刷設定画面（印刷設定ＵＩ）やドキュメントボックス印刷の印刷データを印刷機器２０に送信する際の動作などは異なる。
【００１８】
また、プリンタドライバ１１には、機種情報１５及びカスタマイズ情報１６が記憶されている。機種情報１５の一つである機能情報１７、及びカスタマイズ情報１６の一つであるカスタマイズ機能情報１８は、それぞれ従来のプリンタドライバ１１０における機能情報１１６、及びカスタマイズ機能情報１１７と同様なものである。
【００１９】
印刷機器２０は、操作パネルなどの操作部２１と、設定管理部２２と、記憶部２３とを備えている。設定管理部２２は印刷機器２０の印刷設定を管理する。記憶部２３には、ＰＣ１０から送信された印刷データ、及びドキュメントボックス印刷の印刷データに付加されているカスタマイズ情報が記憶される。つまり、設定管理部２２を備えていること、及びカスタマイズ情報を記憶することが従来の印刷機器１２０と相違する。また、後述するように、ドキュメントボックス印刷の際に、記憶部２３に記憶されているカスタマイズ情報を参照して、そのカスタマイズ情報を反映させた印刷設定変更画面、即ちカスタマイズ情報により機能制限された設定変更画面を操作部２１に表示することも従来の印刷機器１２０との相違点である。
【００２０】
なお、図示を省略したが、ＰＣ１０及び印刷機器２０がＣＰＵ（Central Processing Unit）、ＲＯＭ（Read Only Memory）、ＲＡＭ（Random Access Memory）、ネットワークインタフェースなどを備えており、印刷機器２０はそれらに加えてプリンタエンジンを備えている。そして、プリンタドライバ１１、及び後述する図８に示す処理を実行するプログラムは、ＤＶＤ−ＲＯＭやフラッシュメモリなどの記憶媒体、或いはネットワーク上のサーバからＰＣ１０、印刷機器２０に読み込まれ、それぞれの記憶部に格納されている。
【００２１】
〈プリンタドライバの印刷設定画面の第１の例〉
図２は、プリンタドライバ１１において、両面／製本機能を「左へひらく」にロックした場合に、ＵＩモジュール１３により操作部（図示せず）に表示される印刷設定画面を示す図である。
【００２２】
図示のように、印刷設定画面４０は印刷方法の設定欄４１、編集機能の設定欄４２などが配置されている。また、印刷方法の設定欄４１には「ドキュメントボックスに蓄積する」、即ちドキュメントボックス印刷に設定されている状態が示されている。さらに、編集機能の設定欄４２には、両面／製本機能の設定欄４３が配置されており、両面／製本機能が「左へひらく」にロックされているため、「左へひらく」が設定されている状態を示している。なお、白抜き文字で図示した「給紙トレイ」、「排紙先」、「ステープル」、「パンチ」、「ソート」に関する設定は、設定不能であることを意味しており、ここでは便宜上、白抜き文字としたが、実際にはグレーアウトで表示する。
【００２３】
〈プリンタドライバのカスタマイズ情報の第１の例〉
図３は、プリンタドライバ１１において、両面／製本機能を「左へひらく」にロックするためのカスタマイズ情報１６を示す図である。この図において、上から６〜８行目が両面／製本機能を「左へひらく」にロックすることを示している。このカスタマイズ情報を基に図２に示す印刷設定画面４０の両面／製本機能の設定欄４３に設定可能な機能を示す情報が生成される。
【００２４】
〈プリンタドライバの印刷設定画面の第２の例〉
図４は、プリンタドライバ１１において、両面／製本機能の選択肢を「右へひらく」と「左へひらく」にロックした場合に、ＵＩモジュール１３により操作部（図示せず）に表示される印刷設定画面を示す図である。
【００２５】
図示のように、印刷方法の設定欄４１には「ドキュメントボックスに蓄積する」、即ちドキュメントボックス印刷が選択されている状態が示されている。また、編集機能の設定欄４２内の両面／製本機能の表示欄４３には、両面／製本機能が「右へひらく」と「左へひらく」にロックされているため、プルダウンしたときに「右へひらく」と「左へひらく」のみが選択できることを示している。
【００２６】
〈プリンタドライバのカスタマイズ情報の第２の例〉
図５は、プリンタドライバ１１において、両面／製本機能の選択肢を「左へひらく」と「右へひらく」にロックするためのカスタマイズ情報１６を示す図である。この図において、上から６〜１１行目が両面／製本機能の選択肢を「左へひらく」と「右へひらく」にロックすることを示している。このカスタマイズ情報を基に図４に示す印刷設定画面４０の両面／製本機能の設定欄４３に設定可能な機能を示す情報が生成される。
【００２７】
〈印刷システムの印刷動作〉
図６はＰＣ１０のユーザが任意のアプリケーションで生成したデータを印刷機器２００で印刷するときのプリンタドライバ１１の動作を示すフローチャートであり、図７は印刷機器２０の動作を示すフローチャートである。なお、図６に示すフローチャートを実行する前提として、プリンタドライバ１１のカスタマイズ情報１６として図３や図５に示す情報が記憶されており、そのカスタマイズ情報を基に図２や図４に示す印刷設定画面４０が表示され、その画面内のＯＫボタンが押下されたものとする。
【００２８】
まずプリンタドライバ１１は、印刷方法がドキュメントボックス印刷であるか否か、即ち印刷設定画面４０内の印刷方法の設定欄４１に「ドキュメントボックスに蓄積する」が設定されたか否かを判断する（ステップＳ１）。
【００２９】
そして、印刷方法がドキュメントボックス印刷であると判断した場合は（ステップＳ１：Yes）、印刷データにカスタマイズ情報を付加してから（ステップＳ２）、印刷データを印刷機器２０に送信する（ステップＳ３）。一方、印刷方法がドキュメントボックス印刷でないと判断した場合は（ステップＳ１：No）、そのまま印刷データを印刷機器２０に送信する（ステップＳ３）。
【００３０】
印刷機器２０は、印刷データを受信すると、印刷方法がドキュメントボックス印刷であるか否かを判断する（ステップＳ１１）。ここで、印刷データには印刷方法を示す印刷制御データが付加されているので、この印刷制御データを見ることで、ドキュメントボックス印刷であるか否かを判断することができる。
【００３１】
そして、印刷方法がドキュメントボックス印刷であると判断した場合は（ステップＳ１１：Yes）、印刷データ、及び印刷データに付加されているカスタマイズ情報を記憶部２３に記憶し（ステップＳ１２）、ドキュメントボックス印刷でないと判断した場合は（ステップＳ１１：No）、図示しないプリンタエンジンが印刷データに基づいて印刷を行う（ステップＳ１３）。
【００３２】
〈ドキュメントボックス印刷時の印刷機器の動作〉
図８は、ドキュメントボックス印刷時の印刷機器２０の動作を示すフローチャートである。
【００３３】
ユーザが印刷機器２０の操作部２１からドキュメントボックス機能を起動すると、図９に示すドキュメントボックスのドキュメント選択画面５０が表示される。ドキュメント選択画面５０には、記憶部２３のドキュメントボックスに記憶されているユーザ毎の文書名と文書記憶日時の表示欄（以下、文書属性情報表示欄）５１、「印刷設定」ボタン５２、及び「印刷」ボタン５３が表示される。
【００３４】
ユーザが文書属性情報表示欄５１内の所望の文書を選択すると（ステップＳ２１）、文書属性情報表示欄５１における選択された文書に対応する行の表示状態が変化する。図１０に、「テスト１」の文書を選択した場合の状態を示す。
【００３５】
ここで、ユーザが「印刷」ボタン５３を押すと（ステップＳ３０）、選択されたドキュメントの印刷を開始する。ここで、ボタンを押すとは、例えばボタンがタッチパネル上に配置されているのであればボタンを押すことであり、ボタンが画像として表示されているのであれば、キーボードやマウスなどによりボタンの画像を指示し、クリックすることである。このときの印刷設定は前回のドキュメントボックス印刷時の印刷設定となる。
【００３６】
一方、ユーザが「印刷設定」ボタン５２を押した場合は（ステップＳ２２）、印刷データ（図１０の場合、テスト１の文書の印刷データ）にカスタマイズ情報が付加されているか否か判断する（ステップＳ２３）。そして、カスタマイズ情報が付加されていない場合（ステップＳ２３：No）は、機能制限の無い通常の印刷設定ＵＩ（印刷設定画面）を表示し（ステップＳ２４）、カスタマイズ情報が付加されている場合（ステップＳ２３：Yes）は、そのカスタマイズ情報を読み取り、ロックされた機能を非表示にした印刷設定ＵＩ（印刷設定画面）を表示する（ステップＳ２５）。
【００３７】
なお、図６に示す処理では、ドキュメントボックス印刷の場合には必ずカスタマイズ情報を付加しているので、記憶部２３のドキュメントボックスに保存されている全ての文書が図６に示す処理を受けたものであれば、ステップＳ２３で“No”になることは無い。ここでは、図６とは別にドキュメントボックス印刷でもカスタマイズ情報を付加しない場合、即ちカスタマイズされていないプリンタドライバでドキュメントボックス印刷の印刷データを作成し、カスタマイズ情報が付加されていない印刷データをドキュメントボックスに記憶する場合にも対応している。逆に、その場合の対応が不要、即ちドキュメントボックスに保存されている文書が図６に示す処理を受けたもののみであれば、Ｓ２３及びＳ２４の処理は不要となる。
【００３８】
図１１に機能制限の無い通常の印刷設定画面の一例を示す。図示のように、印刷設定画面６０に、「印刷」ボタン６１、「キャンセル」ボタン６２、文書属性情報表示欄６３、及び印刷設定ボタン表示欄６４が配置されている。印刷設定ボタン表示欄６４には、用紙トレイを選択するためのボタンとして、「自動用紙選択」ボタン、３つの「Ａ４トレイ」ボタン、及び「手差しトレイ」ボタンがあり、両面／製本機能を選択するためのボタンとして、「両面−右へ開く」ボタン、「両面−左へ開く」ボタン、「週刊誌−左へ開く」ボタン、及び「両面−上へ開く」ボタンがある。また、ステープル位置を選択するためのボタンとして、「左」ボタン、「右」ボタン、及び「中央」ボタンがあり、パンチ位置を選択するためのボタンとして、「左」ボタン、「右」ボタンがある。図示を省略したが、各機能を選択するためのボタンは、デフォルトで例えば左端のボタンが選択されており、選択されているボタンの表示状態は選択されていないボタンの表示状態とは異なる。
【００３９】
図１２にロックされた機能を非表示にした印刷設定画面の一例を示す。ここでは、両面／製本機能が「両面−左へ開く」にロックされている。つまり、図３に示すカスタマイズ情報によりプリンタドライバの機能を制限した場合に対応する。
【００４０】
図示のように、通常の印刷設定画面（図１１）と同様、印刷設定画面６０に、「印刷」ボタン６１、「キャンセル」ボタン６２、文書属性情報表示欄６３、及び印刷設定ボタン表示欄６４が配置されている。また、通常の印刷設定画面（図１１）と同様、印刷設定ボタン表示欄６４には、用紙トレイを選択するためのボタンとして、「自動用紙選択」ボタン、３つの「Ａ４トレイ」ボタン、及び「手差しトレイ」ボタンがあり、ステープル位置を選択するためのボタンとして、「左」ボタン、「右」ボタン、及び「中央」ボタンがあり、パンチ位置を選択するためのボタンとして、「左」ボタン、「右」ボタンがある。しかし、両面／製本機能を選択するためのボタンは、両面／製本機能が「両面−左へ開く」のみにロックされているため、「両面−左へ開く」ボタンのみである。
【００４１】
図１３にロックされた機能を非表示にした印刷設定画面の別の一例を示す。ここでは、両面／製本機能の選択肢が「両面−右へ開く」と「両面−左へ開く」にロックされている。つまり、図５に示すカスタマイズ情報によりプリンタドライバの機能を制限した場合に対応する。
【００４２】
図示のように、通常の印刷設定画面（図１１）と同様、印刷設定画面６０に、「印刷」ボタン６１、「キャンセル」ボタン６２、文書属性情報表示欄６３、及び印刷設定ボタン表示欄６４が配置されている。また、通常の印刷設定画面（図１１）と同様、印刷設定ボタン表示欄６４には、用紙トレイを選択するためのボタンとして、「自動用紙選択」ボタン、３つの「Ａ４トレイ」ボタン、及び「手差しトレイ」ボタンがあり、ステープル位置を選択するためのボタンとして、「左」ボタン、「右」ボタン、及び「中央」ボタンがあり、パンチ位置を選択するためのボタンとして、「左」ボタン、「右」ボタンがある。しかし、両面／製本機能を選択するためのボタンは、両面／製本機能の選択肢が「両面−右へ開く」と「両面−左へ開く」にロックされているため、それぞれに対応する二つのボタンのみである。ここでは、両面／製本機能は「両面−左へ開く」が選択されている状態を示している。この状態で「両面−右へ開く」ボタンを押下すると、「両面−右へ開く」が選択されている状態に移行する。
【００４３】
図１１乃至図１３のいずれかに示す印刷設定画面６０上で「印刷」ボタン６１を押下すると、それぞれの画面に示されているデフォルトの印刷設定で印刷が行われる。「キャンセル」ボタン６２を押下すると、図１０に示すドキュメント選択画面５０に戻る。ユーザが印刷設定を変更し（ステップＳ２６）、次いで「印刷」ボタン６１を押下した場合（ステップＳ３０）、変更された印刷設定でドキュメントの印刷を開始する。
【００４４】
ユーザが印刷設定を変更し（ステップＳ２６）、次いでロックを解除する操作を行う（ステップＳ２７）と、操作部２１にエラー画面が表示される（ステップＳ２８）。ここで、操作部２１に通常の印刷設定画面（例えば図１１）が表示されている場合は、ロックされていない以上、ロックを解除することは有り得ないため、ステップＳ２７が実行されることはない。一方、操作部２１にロックされた機能を非表示にした印刷設定画面（例えば図１２、図１３）が表示されている場合は、ロックされている機能に対応するボタンを押下することがロックを解除しようとする操作になる。即ち図１２において、「両面−左へ開く」ボタンを押下することがロックを解除しようとする操作になり、図１３においては、選択されているボタンである「両面−左へ開く」ボタンを押下することがロックを解除しようとする操作になる。
【００４５】
図１４、図１５にエラー画面の例を示す。図１４に示すエラー画面６５は、図１２に示す印刷設定画面６０上で「両面−左へ開く」ボタンを押下した場合に表示されるものであり、「両面−左へ開く」がロックされているため変更できないことを示すメッセージが示されている。また、図１５に示すエラー画面６５は、図１３に示す印刷設定画面６０上で「両面−左へ開く」ボタンを押下した場合に表示されるものであり、「両面−右へ開く」又は「両面−左へ開く」を選択することを促すメッセージが示されている。これらのエラー画面６５上で「ＯＫ」ボタン６６を押下すると（ステップＳ２９）、図１２又は図１３の印刷設定画面６０を表示する状態に戻る。
【００４６】
以上詳細に説明したように、本発明の実施形態の印刷システムによれば、ＰＣ１０は、ドキュメントボックス印刷の印刷データにプリンタドライバ１１のカスタマイズ情報１６を付加して印刷機器２０に送信し、印刷機器２０は、カスタマイズ情報１６が付加された印刷データを受信し、ドキュメントボックス印刷の印刷設定画面を操作部２１に表示するとき、カスタマイズ情報１６による機能制限を反映させた印刷設定画面を表示するので、印刷機器側で、プリンタドライバ１１のカスタマイズ情報１６による機能制限を受けない印刷設定が行われるのを防止することができる。
【００４７】
なお、図１２、図１３では、設定不能な印刷設定項目を表示していない（非表示にしている）が、それらの項目をグレーアウトで表示してもよい。
【符号の説明】
【００４８】
１０…ＰＣ、１１…プリンタドライバ、１６…カスタマイズ情報、２０…印刷機器、２１…操作部、２３…記憶部。
【先行技術文献】
【特許文献】
【００４９】
【特許文献１】特開２００６−３０９７２４号公報
【図１】
2012141678.tif 000003
【図２】
2012141678.tif 000004
【図３】
2012141678.tif 000005
【図４】
2012141678.tif 000006
【図５】
2012141678.tif 000007
【図６】
2012141678.tif 000008
【図７】
2012141678.tif 000009
【図８】
2012141678.tif 000010
【図９】
2012141678.tif 000011
【図１０】
2012141678.tif 000012
【図１１】
2012141678.tif 000013
【図１２】
2012141678.tif 000014
【図１３】
2012141678.tif 000015
【図１４】
2012141678.tif 000016
【図１５】
2012141678.tif 000017
【図１６】
2012141678.tif 000018
【図１７】
2012141678.tif 000019